(57)【要約】【課題】視聴中の番組放送に関連するコンテンツへ、好適な通信端末によりアクセスすること。【解決手段】通信端末３０は、リモコン信号が放送受信装置１０に送信された後に、放送受信装置１０からアドレスを取得した場合、当該アドレスへアクセスし、リモコン信号が放送受信装置１０に送信される前に、放送受信装置１０からアドレスを取得した場合、当該アドレスへアクセスしない。【選択図】図１
2014053747.tif 000002
【特許請求の範囲】
【請求項１】
放送受信装置を操作するためのリモコン信号を、当該放送受信装置に送信するリモコン信号送信手段と、
前記放送受信装置が番組放送から抽出したアドレスであって、当該番組放送に関連するコンテンツのアドレスを、前記放送受信装置から取得するアドレス取得手段と、
前記アドレス取得手段により取得された前記アドレスにアクセスするアクセス手段と、
を備え、
前記リモコン信号が前記放送受信装置に送信される前に、前記アドレスを取得した場合、当該アドレスへアクセスせず、
前記リモコン信号が前記放送受信装置に送信された後に、前記アドレスを取得した場合、当該アドレスへアクセスする
ことを特徴とする通信端末。
【請求項２】
前記リモコン信号の送信先の前記放送受信装置から前記アドレスを取得した場合、当該アドレスへアクセスし、
前記リモコン信号の送信先以外の前記放送受信装置から前記アドレスを取得した場合、当該アドレスへアクセスしない
ことを特徴とする請求項１に記載の通信端末。
【請求項３】
前記リモコン信号は、放送番組を変更しない第一リモコン信号および前記放送番組を変更する第二リモコン信号を含み、
前記第一リモコン信号が送信された後に、前記アドレスを取得した場合、当該アドレスへアクセスする
ことを特徴とする請求項１または２に記載の通信端末。
【請求項４】
前記第二リモコン信号が送信された後に、前記アドレスを取得した場合、当該アドレスへアクセスしない
ことを特徴とする請求項３に記載の通信端末。
【請求項５】
前記放送受信装置から出力された音声であって、前記アドレスが埋め込まれた音声を入力するマイクロフォンを備え、
前記アドレス取得手段は、
前記マイクロフォンによって入力された前記音声から前記アドレスを取得する
ことを特徴とする請求項１または２に記載の通信端末。
【請求項６】
前記リモコン信号は、
放送番組を変更しない第一リモコン信号および前記放送番組を変更する第二リモコン信号を含み、
前記マイクロフォンは、
前記リモコン信号送信手段から前記第一リモコン信号が送信されると、電源がオンとなることを特徴とする請求項５に記載の通信端末。
【請求項７】
前記マイクロフォンは、
前記リモコン信号送信手段から前記第二リモコン信号が送信されると、電源がオフとなる
ことを特徴とする請求項６に記載の通信端末。
【請求項８】
請求項１から７のいずれか一項に記載の通信端末と、
放送受信装置と、
を備えた情報提供システムであって、
前記放送受信装置は、
番組放送を受信する番組放送受信手段と、
前記番組放送受信手段によって受信された前記番組放送から抽出した前記アドレスを、前記通信端末に出力するアドレス出力手段と、
前記通信端末から送信されたリモコン信号であって、当該放送受信装置を操作するためのリモコン信号を受信する信号受信手段と、
を有することを特徴とする情報提供システム。
【請求項９】
前記リモコン信号には、当該通信端末の識別情報が含まれており、
前記アドレス出力手段は、
前記識別情報を付加した前記アドレスを前記通信端末に出力する
ことを特徴とする請求項８に記載の情報提供システム。
【請求項１０】
放送受信装置を操作するためのリモコン信号を、当該放送受信装置に送信するリモコン信号送信工程と、
前記放送受信装置が番組放送から抽出したアドレスであって、当該番組放送に関連するコンテンツのアドレスを、前記放送受信装置から取得するアドレス取得工程と、
前記アドレス取得工程で取得された前記アドレスにアクセスするアクセス工程と、
を含み、
前記リモコン信号が前記放送受信装置に送信される前に、前記アドレスを取得した場合、当該アドレスへアクセスせず、
前記リモコン信号が前記放送受信装置に送信された後に、前記アドレスを取得した場合、当該アドレスへアクセスする
ことを特徴とする情報提供方法。
【請求項１１】
コンピュータを請求項１から７のいずれか一項に記載の通信端末として機能させるためのプログラムであって、前記コンピュータを前記通信端末が備える前記各手段として機能させるプログラム。
【発明の詳細な説明】
【技術分野】
【０００１】
本発明は、通信端末、情報提供システム、情報提供方法およびプログラムに関する。
【背景技術】
【０００２】
近年、テレビジョン受像機に代表される放送受信装置に関し、受信した放送波に含まれている情報を通信端末に送信することで、放送番組に関連する情報を通信端末からも得られるようにする技術が考案されている。例えば、下記特許文献１には、ディジタル放送受信装置が受信したＵＲＩ情報をパーソナルコンピュータ等の情報処理装置に送信するＵＲＩ転送システムが記載されている。このＵＲＩ転送システムによれば、ユーザに手間をかけさせることなく、番組に関連するコンテンツを、ユーザに閲覧させることができるとされている。
【先行技術文献】
【特許文献】
【０００３】
【特許文献１】特開２００５−２７１４３号公報（２００５年１月２７日公開）
【発明の概要】
【発明が解決しようとする課題】
【０００４】
しかしながら、上記特許文献１に記載されている技術では、同一ネットワーク内に通信端末が複数存在する場合、全ての通信端末にＵＲＩ情報が送信される。そのため、所望の通信端末だけでなく、意図していない通信端末にてＵＲＩへのアクセスがなされるという問題がある。
【０００５】
また、上記特許文献１に記載されている技術では、通信端末は、ディジタル放送受信装置からいつＵＲＩ情報が送られてくるかわからないため、常にＵＲＩ情報を受信できる状態になっている必要があり、無駄な電力の消費が多いという問題がある。
【０００６】
本発明は、上記の課題に鑑みてなされたものであり、視聴中の番組放送に関連するコンテンツへ、好適な通信端末によりアクセスすることを目的としている。
【課題を解決するための手段】
【０００７】
上記の課題を解決するために、本発明に係る通信端末は、放送受信装置を操作するためのリモコン信号を、当該放送受信装置に送信するリモコン信号送信手段と、前記放送受信装置が番組放送から抽出したアドレスであって、当該番組放送に関連するコンテンツのアドレスを、前記放送受信装置から取得するアドレス取得手段と、前記アドレス取得手段により取得された前記アドレスにアクセスするアクセス手段と、を備え、前記リモコン信号が前記放送受信装置に送信される前に、前記アドレスを取得した場合、当該アドレスへアクセスせず、前記リモコン信号が前記放送受信装置に送信された後に、前記アドレスを取得した場合、当該アドレスへアクセスすることを特徴とする。
【０００８】
放送受信装置の通信圏内において、リモコンとして使用している通信端末は、大概、その場所においてユーザが主に使用する通信端末である。したがって、リモコンとして使用している通信端末（上記本発明に係る通信端末）による上記アドレスへのアクセスは、好適な通信端末による上記コンテンツへのアクセスであるといえる。
【０００９】
上記通信端末において、前記リモコン信号の送信先の前記放送受信装置から前記アドレスを取得した場合、当該アドレスへアクセスし、前記リモコン信号の送信先以外の前記放送受信装置から前記アドレスを取得した場合、当該アドレスへアクセスしないことが好ましい。
【００１０】
上記通信端末によれば、視聴中ではない番組放送に関連するコンテンツへのアクセスを回避することができる。
【００１１】
上記通信端末において、前記リモコン信号は、放送番組を変更しない第一リモコン信号および前記放送番組を変更する第二リモコン信号を含み、前記第一リモコン信号が送信された後に、前記アドレスを取得した場合、当該アドレスへアクセスすることが好ましい。
【００１２】
また、上記通信端末において、前記第二リモコン信号が送信された後に、前記アドレスを取得した場合、当該アドレスへアクセスしないことが好ましい。
【００１３】
第一のリモコン信号の送信後は、引き続きその放送番組が視聴されるから、その放送番組に関連するコンテンツへのアクセスはより有益なものとなる。また、第二のリモコン信号の送信後は、引き続きその放送番組が視聴されないから、その放送番組に関連するコンテンツへのアクセスは有益ではない。上記通信端末によれば、このような有益ではないコンテンツへのアクセスを排除しつつ、有益なコンテンツへのアクセスを可能とする。
【００１４】
上記通信端末において、前記放送受信装置から出力された音声であって、前記アドレスが埋め込まれた音声を入力するマイクロフォンを備え、前記アドレス取得手段は、前記マイクロフォンによって入力された前記音声から前記アドレスを取得することが好ましい。
【００１５】
上記通信端末によれば、アドレスが放送受信装置から出力された音声に埋め込まれている場合であっても、マイクロフォンに入力される当該音声からアドレスを取得することができる。
【００１６】
上記通信端末において、前記リモコン信号は、放送番組を変更しない第一リモコン信号および前記放送番組を変更する第二リモコン信号を含み、前記マイクロフォンは、前記リモコン信号送信手段から前記第一リモコン信号が送信されると、電源がオンとなることが好ましい。
【００１７】
また、上記通信端末において、前記マイクロフォンは、前記リモコン信号送信手段から前記第二リモコン信号が送信されると、電源がオフとなることが好ましい。
【００１８】
音声入力が必要／不必要となる適切なタイミングで、マイクロフォンの電源をオン／オフすることができる。これにより、マイクロフォンの使用による消費電力を抑制することができる。
【００１９】
本発明に係る情報提供システムは、上記通信端末と、放送受信装置と、を備えた情報提供システムであって、前記放送受信装置は、番組放送を受信する番組放送受信手段と、前記番組放送受信手段によって受信された前記番組放送から抽出した前記アドレスを、前記通信端末に出力するアドレス出力手段と、前記通信端末から送信されたリモコン信号であって、当該放送受信装置を操作するためのリモコン信号を受信する信号受信手段と、を有することを特徴とする。
【００２０】
上記情報提供システムによれば、上記通信端末と同様の効果を奏することができる。
【００２１】
上記通信提供システムにおいて、前記リモコン信号には、当該通信端末の識別情報が含まれており、前記アドレス出力手段は、前記識別情報を付加した前記アドレスを前記通信端末に出力することが好ましい。
【００２２】
上記情報提供システムによれば、通信端末は、リモコン信号とともに当該通信端末を識別する情報を放送受信装置に送信することができ、当該放送受信装置は、受信した当該情報とともにアドレスを通信端末に送信することができる。よって、通信端末は、放送受信装置から送信されたアドレスに、当該通信端末を識別する情報が含まれるか否かを識別することができる。
【００２３】
本発明に係る情報提供方法は、放送受信装置を操作するためのリモコン信号を、当該放送受信装置に送信するリモコン信号送信工程と、前記放送受信装置が番組放送から抽出したアドレスであって、当該番組放送に関連するコンテンツのアドレスを、前記放送受信装置から取得するアドレス取得工程と、前記アドレス取得工程で取得された前記アドレスにアクセスするアクセス工程と、を含み、前記リモコン信号が前記放送受信装置に送信される前に、前記アドレスを取得した場合、当該アドレスへアクセスせず、前記リモコン信号が前記放送受信装置に送信された後に、前記アドレスを取得した場合、当該アドレスへアクセスすることを特徴とする。
【００２４】
また、本発明に係るプログラムは、コンピュータを上記通信端末として機能させるためのプログラムであって、前記コンピュータを前記通信端末が備える前記各手段として機能させる。
【００２５】
上記情報提供方法、および上記プログラムによれば、上記通信端末と同様の効果を奏することができる。
【発明の効果】
【００２６】
本発明によれば、視聴中の番組放送に関連するコンテンツへ、好適な通信端末によりアクセスすることができる。
【図面の簡単な説明】
【００２７】
【図１】本発明の一実施形態に係る情報提供システムのシステム構成を示す。
【図２】本発明の一実施形態に係る情報提供システムによる初回の通信接続時における処理の手順を示すシーケンス図である。
【図３】本発明の一実施形態に係る情報提供システムによる二回目以降の通信接続時における処理の手順を示すシーケンス図である。
【図４】本発明の一実施形態に係る情報提供システムによる送信処理の具体例を示す。
【図５】本発明の一実施形態に係る情報提供システムによるリモコン信号およびＵＲＬ起動通知の送受信を示す。
【発明を実施するための形態】
【００２８】
以下、本発明の実施の形態について、詳細に説明する。
【００２９】
〔情報提供システムの構成〕
まず、図１を参照して、本発明の一実施形態に係る情報提供システム１００のシステム構成について説明する。図１は、本発明の一実施形態に係る情報提供システム１００のシステム構成を示す。図１に示すように、情報提供システム１００は、放送受信装置１０および通信端末３０を備えて構成されている。放送受信装置１０は、番組放送を受信し、当該番組放送を再生する装置である。通信端末３０は、ユーザによる携帯可能な情報処理端末である。放送受信装置１０としては、例えば、テレビジョン受像機、各種レコーダ等が挙げられる。通信端末３０としては、例えば、パーソナルコンピュータ、スマートフォン、携帯電話機、およびタブレット型端末等が挙げられる。
【００３０】
情報提供システム１００において、放送受信装置１０および通信端末３０は、いずれも通信ネットワークに接続可能であり、無線ＬＡＮ等の当該通信ネットワークを介して、互いに通信を行うことが可能となっている。これにより、放送受信装置１０および通信端末３０は、各種情報を互いに送受信することが可能となっている。
【００３１】
また、通信端末３０は、放送受信装置１０を操作するリモコン信号を放送受信装置１０に送信する。リモコン信号は、通信端末３０から放送受信装置１０に送信され、放送受信装置１０の操作・制御に関する信号である。リモコン信号としては、例えば、放送番組を変更する信号、放送番組の音量を変更する信号等が含まれる。
【００３２】
リモコン信号は、例えば、ＩＲ（赤外線）、ＵＰｎＰ（Ｗｉｆｉ、Ｅｔｈｅｒｎｅｔ（登録商標）など）およびＢｌｕｅｔｏｏｔｈ（登録商標）などの形態にて、情報提供システム１００内で送受信され得る。
【００３３】
また、放送受信装置１０は、通信ネットワークに接続された不特定多数の通信端末３０に対し、番組放送に関連するコンテンツへアクセスさせるためのアドレスを配信することができる。上記コンテンツとは、例えば、インターネットのホームページ等である。上記アドレスは、ＵＲＬ情報、ＵＲＩ情報等として、通信端末３０へ送信される。これにより、アドレスを受け取ることができた通信端末３０は、そのアドレスへ、所定のアプリケーションによってアクセスすることができる。
【００３４】
以降の説明では、上記任意のアクセス先は、インターネットのホームページであることとし、上記アドレスは、上記ホームページのアドレスであり、ＵＲＬ起動通知として、各通信端末３０へ送信されることとする。また、上記アプリケーションは、Ｗｅｂブラウザであることとする。但し、これらは、本発明の単なる一実施例にしか過ぎない。例えば、上記アプリケーションは、地図アプリケーションやレシピアプリケーション等であってもよい。
【００３５】
アドレスは、例えば、ＩＲ（赤外線）、ＵＰｎＰ（Ｗｉｆｉ、Ｅｔｈｅｒｎｅｔ（登録商標）など）およびＢｌｕｅｔｏｏｔｈ（登録商標）などの形態にて、情報提供システム１００内で送受信され得る。
【００３６】
また、通信端末３０は、Ｗｅｂブラウザを備えていればよく、インターネットのホームページを表示する表示画面を備える放送受信装置用のリモコン（例えば、テレビのリモコン）であってもよい。
【００３７】
（放送受信装置１０の各構成）
引き続き図１を参照して、情報提供システム１００が備える放送受信装置１０の各構成について説明する。図１に示すように、放送受信装置１０は、チューナ１１（番組放送受信手段）、抽出部１２、アドレス送信部（アドレス出力手段）１３、通信部（信号受信手段）１４、情報送信部１５、情報保存部１６、映像処理部１７および表示部１８を備えている。
【００３８】
［チューナ１１］
チューナ１１は、番組放送を放送受信装置１０の外部から受信する。既に説明したとおり、チューナ１１によって受信される番組放送には、その番組放送に関連するコンテンツへアクセスするためのアドレスが含まれ得る。また、通信部１４が、リモコン信号として放送番組を変更する信号を受信すると、チューナ１１は当該信号に基づき、受信する番組放送を変更する。なお、通信部１４が、放送番組を変更する信号以外の信号（例えば、音量調整信号等）を受信した場合には、放送受信装置１０が備える適切な処理部（図示省略）が当該信号に基づいた処理を行う。
【００３９】
［映像処理部１７、表示部１８］
映像処理部１７は、チューナ１１によって受信された番組放送に対し、各種映像処理を施した後、当該番組放送を表示部１８へ出力する。表示部１８は、映像処理部１７から出力された番組放送を表示する。当然、チューナ１１の受信する番組放送が変更された場合には、当該変更後の番組放送が表示部１８へ出力される。
【００４０】
［情報送信部１５、情報保存部１６］
情報保存部１６は、放送受信装置１０に関する情報（ＩＤ・機種名など）を保存する。情報送信部１５は、上記放送受信装置１０に関する情報を情報保存部１６から読み出し、当該情報を通信部１４を介して通信端末３０に送信する。これらの情報は、例えば、通信端末３０において、放送受信装置１０をリンクさせる際に、放送受信装置１０の識別情報として利用される。
【００４１】
［通信部１４］
通信部１４は、放送受信装置１０において、通信端末３０とデータの送受信を制御するものである。例えば、通信部１４は、通信端末３０との通信に用いる通信方式に従い、通信ネットワークおよび通信端末３０との通信接続を確立したり、通信端末３０に対するデータ送信を制御したり、通信端末３０からのデータ受信を制御したりする。
【００４２】
［抽出部１２］
抽出部１２は、チューナ１１によって受信された番組放送から、アドレスを抽出する。
【００４３】
［アドレス送信部１３］
アドレス送信部１３は、抽出部１２によって番組放送から抽出されたアドレスを、通信部１４を介して通信ネットワークへ送出することにより、当該アドレスを通信端末３０へ配信する。例えば、放送受信装置１０がアドレスを送信するためのＵＲＬ起動通知スクリプト（例えば、ＥＣＭＡスクリプト）を受信した場合、アドレス送信部１３は、当該ＵＲＬ起動通知スクリプトを実行することにより、このアドレスを直ちに通信ネットワークへ送出する。これに限らず、アドレス送信部１３は、上記アドレスを、所定時間経過後、または、当該アドレスに対して予め指定されている時刻に、通信ネットワークへ送出してもよい。
【００４４】
（通信端末３０の各構成）
次に、図１を参照して、情報提供システム１００が備える通信端末３０の各構成について説明する。通信端末３０は、アクセス部（アクセス手段）３１、設定部３２、情報保存部３３、操作部３４、信号送信部（リモコン信号送信手段）３５、アプリ起動部３６、アドレス記録部３７、Ｗｅｂブラウザ３８、表示部３９、および、通信部（アドレス取得手段）４１を備えている。
【００４５】
［通信部４１］
通信部４１は、通信端末３０において、放送受信装置１０とデータの送受信を制御するものである。例えば、通信部４１は、放送受信装置１０との通信に用いる通信方式に従い、通信ネットワークおよび放送受信装置１０との通信接続を確立したり、放送受信装置１０に対するデータ送信を制御したり、放送受信装置１０からのデータ受信を制御したりする。
【００４６】
［設定部３２，情報保存部３３］
設定部３２は、リンク先の放送受信装置を設定する。例えば、設定部３２は、通信ネットワーク上に存在する、当該通信端末３０とのリンクが可能な各装置から、その装置に関する情報（ＩＤ・機種名など）を取得する。そして、設定部３２は、各装置に関する情報（ＩＤ・機種名など）を、表示部３９に表示させ、いずれの装置をリンク先とするかをユーザに選択させる。そして、ユーザによって何れかの装置が選択された場合、その装置をリンク先として特定するためのリンク先特定情報を、情報保存部３３に保存する。これにより、通信端末３０は、上記リンク先特定情報を参照することによってリンク先を特定することが可能となる。本実施形態では、放送受信装置１０をリンク先としているが、当然、通信端末３０は、他の装置をリンク先とすることも可能であり、複数の装置をリンク先とすることも可能である。また、通信端末３０は、リンク先を解除したり、変更したりすることも可能である。
【００４７】
情報保存部３３としては、公知の記録媒体を採用することができ、例えば、ＲＡＭ、ＲＯＭ、ＥＥＰＲＯＭ（登録商標）、フラッシュメモリ等が挙げられる。
【００４８】
［操作部３４，信号送信部３５］
操作部３４は、ユーザによって操作される。信号送信部３５は、ユーザによる操作部３４の操作に応じたリモコン信号を送信する。例えば、このリモコン信号が放送受信装置１０に送信されると、放送受信装置１０が遠隔操作されることとなる。
【００４９】
リモコン信号としては、放送番組を変更しない第一リモコン信号および放送番組を変更する第二リモコン信号が含まれる。
【００５０】
第一リモコン信号は、放送番組を変更しないリモコン信号である。例えば、ｄボタン、番組情報ボタン、番組表ボタン、裏番組表ボタン、音量ボタン、消音ボタン、メニューボタン、ホームボタン、数字ボタン、青ボタン、赤ボタン、緑ボタン、黄色ボタン、決定ボタン、↑ボタン、↓ボタン、→ボタン、←ボタン、戻るボタンの操作に対応するリモコン信号が挙げられる。
【００５１】
第二リモコン信号は、放送番組を変更するリモコン信号である。例えば、電源ボタン、地上Ｄ（デジタル）ボタン、ＢＳボタン、ＣＳボタン、入力切換ボタン、上下選局ボタンの操作に対応するリモコン信号が挙げられる。
【００５２】
［アプリ起動部３６］
アプリ起動部３６は、信号送信部３５から特定のリモコン信号が送信されると、放送受信装置１０から受信したアドレスへアクセスするために必要なアプリケーションを起動する。これにより、アクセス部３１において、放送受信装置１０から受信したアドレスへアクセスすることが可能となる。
【００５３】
（アプリケーションの起動）
一実施形態として、アプリ起動部３６は、信号送信部３５から放送受信装置１０に第一リモコン信号が送信されると、上記アプリケーションを起動する。これにより、アクセス部３１は、放送受信装置１０から送信されたアドレスへアクセスすることが可能となる。よって、現在視聴している番組に関連するコンテンツのアドレスが通信端末３０に送信され、通信端末３０のユーザは有益な情報を得ることができる。
【００５４】
（アプリケーションの終了）
また、アプリ起動部３６は、信号送信部３５から放送受信装置１０に第二リモコン信号が送信されると、上記アプリケーションを終了してもよい。これにより、アクセス部３１は、放送受信装置１０から送信されたアドレスへアクセスすることが不可能となる。よって、通信端末３０は、番組を変更した後に送信されたアドレスにアクセスすることはない。
【００５５】
［アクセス部３１、Ｗｅｂブラウザ３８、表示部３９］
アクセス部３１は、通信部４１によって受信されたアドレスへのアクセスを実現するものである。より詳細には、アクセス部３１は、Ｗｅｂブラウザ３８を起動させることで、通信部４１によって受信されたアドレスにアクセスする。当該アクセスにより、表示部３９には、当該アクセス先のホームページの画像が表示されることとなる。
【００５６】
また、放送受信装置１０の情報が情報保存部３３に保存されることによって、放送受信装置１０と通信端末３０とがリンクされている場合（対応付けられている場合）、アクセス部３１は、放送受信装置１０以外の放送受信装置からのアドレスを受信しても、当該アドレスにアクセスしない。つまり、アクセス部３１は、情報保存部３３に保存されているリンク先の情報に基づき、受信したアドレスがリンク先の装置から送信されたものであるか否かを識別する。そして、受信したアドレスがリンク先の装置から送信されたものである場合、アクセス部３１は当該アドレスにアクセスする。よって、通信端末３０において、リンク先以外の装置から受信したアドレスへのアクセスを防止することができる。なお、受信したアドレスが放送受信装置１０によって送信されたものであるか否かを識別する方法は、既知の方法を用いることができる。
【００５７】
また、放送受信装置１０との通信が可能となる領域内に、通信端末が複数存在する場合であっても、放送受信装置１０と対応付けられている通信端末３０だけを、当該アドレスにアクセスさせることができる。
【００５８】
アクセス部３１が受信したアドレスにアクセスしているときに、通信端末３０において、ポーズを選択して、当該アクセスを継続させてもよい。通信端末３０において、ポーズの選択中に放送受信装置１０から別のアドレスを受信した場合、自動的に当該アドレスにアクセスすることを防止できる。
【００５９】
通信端末３０において、ポーズの選択中に放送受信装置１０から受信したアドレスは、アドレス記録部３７に保存されるように設定してもよく、アドレス記録部３７に保存されることなく破棄されるように設定してもよい。
【００６０】
また、アクセス部３１が受信したアドレスにアクセスしているときに、ポーズを解除し、別のアドレスがアドレス記録部３７に保存されている場合、アクセス部３１は自動的に当該別のアドレスにアクセスするようにしてもよい。
【００６１】
［アドレス記録部３７］
アドレス記録部３７は、通信部４１によって受信されたアドレスを記録する。例えば、通信端末３０は、一のアドレスへのアクセス中に、他のアドレスを受信した場合、当該他のアドレスを、アドレス記録部３７に記録する。これにより、通信端末３０は、一のアドレスへのアクセスを継続しつつ、後に、他のアドレスへアクセスすることができる。
【００６２】
ここで、アドレス記録部３７は、リンク先の装置から送信されたアドレスを記録するだけでなく、リンク先以外の装置から送信されたアドレスを記録するようにしてもよい。
【００６３】
アドレス記録部３７としては、公知の記録媒体を採用することができ、例えば、ＲＡＭ、ＲＯＭ、ＥＥＰＲＯＭ（登録商標）、フラッシュメモリ等が挙げられる。
【００６４】
〔情報提供システム１００による処理の手順〕
次に、図２および図３を参照して、情報提供システム１００による処理の手順について説明する。
【００６５】
（初回の通信接続時）
［リンク設定］
図２は、本発明の一実施形態に係る情報提供システム１００による初回の通信接続時における処理の手順を示すシーケンス図である。ここでいう「初回の通信接続」とは、放送受信装置１０と通信端末３０とがリンクされていない状態における通信接続を意味する。
【００６６】
まず、通信端末３０において、ローカルネットに接続する（ステップＳ１０１）。
【００６７】
次に、通信端末３０において、ローカルネット上に存在する放送受信装置１０をサーチする（ステップＳ１０２）。具体的には、通信端末３０は、ローカルネット上に存在する放送受信装置１０に対し、当該装置の情報（ＩＤ・機種名など）を送信するように要求する。
【００６８】
この要求を受信した放送受信装置１０は、情報保存部１６に保存されている当該放送受信装置１０の情報を読み出し、通信部１４を介して通信端末３０に送信する（ステップＳ１０３）。
【００６９】
通信端末３０において、この放送受信装置１０の情報を受信すると（ステップＳ１０４）、当該情報を情報保存部３３に保存する。これにより、放送受信装置１０をリンク（放送受信装置１０と通信端末３０とを対応付け）させることができる（ステップＳ１０５）。
【００７０】
［リモコン信号（第一リモコン信号）送信］
次に、通信端末３０において、リモコン信号を放送受信装置１０に送信する（ステップＳ１０６）。なお、ここで送信したリモコン信号は、放送受信装置１０の放送番組を変更しない信号（第一リモコン信号）である。
【００７１】
第一リモコン信号が放送受信装置１０に送信されると、所定の受信アプリケーションを起動する（ステップＳ１０７）。ここでいう「所定の受信アプリケーション」とは、放送受信装置１０から送信されてきたアドレスを受信するためのものである。
【００７２】
放送受信装置１０は、通信端末３０が送信した第一リモコン信号を受信する（ステップＳ１０８）。そして、当該第一リモコン信号に応じた放送受信装置１０の操作・制御がなされる。
【００７３】
［ＵＲＬ起動通知送信］
その後、放送受信装置１０において、ＵＲＬ起動通知スクリプトを受信し、実行する（ステップＳ１０９，ステップＳ１１０）。次に、ＵＲＬ起動通知が通信端末３０に送信される（ステップＳ１１１）。
【００７４】
通信端末３０において、上記ＵＲＬ起動通知を受信すると（ステップＳ１１２）、当該ＵＲＬ起動通知が、リンクされた放送受信装置１０によって送信されたものであるか否かを識別する（ステップＳ１１３）。ＵＲＬ起動通知が、リンクされた放送受信装置１０によって送信されたものであれば、通信端末３０は、Ｗｅｂブラウザ３８を起動し（ステップＳ１１４）、ＵＲＬ起動通知に示されているアドレス（ＵＲＬ）にアクセスする。
【００７５】
［他のＵＲＬ起動通知送信］
その後、通信端末３０において、上記アドレスへアクセスした状態を維持する設定（以下、「ポーズ」）が選択された後（ステップＳ１１５）、放送受信装置１０において、ＵＲＬ起動通知スクリプトを受信し、実行する（ステップＳ１１６，ステップＳ１１７）。そして、他のＵＲＬ起動通知が通信端末３０に送信される（ステップＳ１１８）。
【００７６】
この場合、通信端末３０において、上記ＵＲＬ起動通知を受信しても（ステップＳ１１９）、当該ＵＲＬ起動通知に示されているアドレスへはアクセスせず、当該ＵＲＬ起動通知を保存する（ステップＳ１２０）。
【００７７】
［リモコン信号（第二リモコン信号）送信］
次に、通信端末３０において、リモコン信号を放送受信装置１０に送信する（ステップＳ１２１）。なお、ここで送信したリモコン信号は、放送受信装置１０の放送番組を変更する信号（第二リモコン信号）である。
【００７８】
第二リモコン信号が放送受信装置に送信されると、起動していた受信アプリケーションを終了する（ステップＳ１２２）。
【００７９】
放送受信装置１０は、通信端末３０が送信した第二リモコン信号を受信し、放送番組を変更する（ステップＳ１２３，ステップＳ１２４）。
【００８０】
［他のＵＲＬ起動通知送信］
その後、放送受信装置１０において、ＵＲＬ起動通知スクリプトを受信し、実行する（ステップＳ１２５，ステップＳ１２６）。そして、放送受信装置１０は、他のＵＲＬ起動通知を通信端末３０に送信しようとする（ステップＳ１２７）が、通信端末３０は、当該ＵＲＬ起動通知を受信することができない。
【００８１】
この時点で、通信端末３０は、ステップＳ１１２にて受信したＵＲＬ起動通知に示されたアドレスにアクセスした状態が維持されている。ただし、通信端末３０において、ステップＳ１１９にて受信した他のＵＲＬ起動通知が保存されているため、他のＵＲＬ起動通知に示されているアドレスにも、アクセスすることが可能である。
【００８２】
また、通信端末３０は、リモコン信号の送信に基づき、受信アプリケーションの起動および終了を切り替えることができるため、常に受信アプリケーションを起動している場合と比較して、消費電力を削減することができる。
【００８３】
また、通信端末３０において、アクセス部３１は、放送受信装置１０へのリモコン信号の送信をきっかけとして、放送受信装置１０から送信されるアドレスへのアクセスを可能とする。したがって、放送受信装置を操作している通信端末だけが、アドレスを受け取り、当該アドレスにアクセスすることができる。
【００８４】
（二回目以降の通信接続時）
図３は、本発明の一実施形態の変形例に係る情報提供システム１００による二回目以降の通信接続時における処理の手順を示すシーケンス図である。ここでいう「二回目以降の通信接続」とは、放送受信装置１０と通信端末３０とがリンクされている状態における通信接続を意味する。なお、図３では、図２と異なり、マイクロフォン４２によりアドレスを取得する例を説明する。マイクロフォン４２については、本実施形態の変形例として後に説明する。
【００８５】
［ＵＲＬ起動通知送信］
まず、通信端末３０がローカルネットに接続されていない状態において、放送受信装置１０は、ＵＲＬ起動通知スクリプトを受信し、実行する（ステップＳ２０１，ステップＳ２０２）。そして、放送受信装置１０は、上記ＵＲＬ起動通知を通信端末３０に送信しようとする（ステップＳ２０３）が、通信端末３０は、当該ＵＲＬ起動通知を受信することができない。
【００８６】
その後、通信端末３０がローカルネットに接続されると（ステップＳ２０４）、通信端末３０は、放送受信装置１０をローカルネット上から検索し、放送受信装置１０との通信接続を確立する。
【００８７】
［リモコン信号（第一リモコン信号）送信］
次に、通信端末３０において、リモコン信号を放送受信装置１０に送信する（ステップＳ２０５）。なお、ここで送信したリモコン信号は、放送受信装置１０の放送番組を変更しない信号（第一リモコン信号）である。
【００８８】
第一リモコン信号が放送受信装置１０に送信されると、マイクロフォン４２の電源がオンになる（ステップＳ２０６）。
【００８９】
放送受信装置１０は、通信端末３０が送信した第一リモコン信号を受信する（ステップＳ２０７）。そして、当該第一リモコン信号に応じた放送受信装置１０の操作・制御がなされる。
【００９０】
［他のＵＲＬ起動通知送信］
その後、放送受信装置１０において、ＵＲＬ起動通知スクリプトを受信し、実行する（ステップＳ２０８，ステップＳ２０９）。次に、他のＵＲＬ起動通知が通信端末３０に送信される（ステップＳ２１０）。
【００９１】
通信端末３０において、上記ＵＲＬ起動通知を受信すると（ステップＳ２１１）、当該ＵＲＬ起動通知が、リンクされた放送受信装置１０によって送信されたものであるか否かを識別する（ステップＳ２１２）。ＵＲＬ起動通知が、リンクされた放送受信装置１０によって送信されたものであれば、通信端末３０は、Ｗｅｂブラウザ３８を起動し（ステップＳ２１３）、ＵＲＬ起動通知に示されているアドレスにアクセスする。
【００９２】
［他のＵＲＬ起動通知送信］
その後、通信端末３０において、上記アドレスへアクセスのポーズが解除された後（ステップＳ２１４）、放送受信装置１０において、ＵＲＬ起動通知スクリプトを受信し、実行する（ステップＳ２１５，ステップＳ２１６）。次に、他のＵＲＬ起動通知が通信端末３０に送信される（ステップＳ２１７）。
【００９３】
この場合、通信端末３０において、上記ＵＲＬ起動通知を受信すると（ステップＳ２１８）、当該ＵＲＬ起動通知が、リンクされた放送受信装置１０によって送信されたものであるか否かを識別する（ステップＳ２１９）。そして、ＵＲＬ起動通知が、リンクされた放送受信装置１０によって送信されたものであれば、通信端末３０は、Ｗｅｂブラウザ３８を起動またはアドレス変更し（ステップＳ２２０）、当該ＵＲＬ起動通知に示されているアドレスにアクセスする。すなわち、通信端末３０は、上記ポーズが解除されているため、ステップＳ２１１にて受信したＵＲＬ起動通知に示されているアドレスから、ステップＳ２１８にて受信したＵＲＬ起動通知に示されているアドレスへ、自動的にアクセス先を変更する。
【００９４】
［リモコン信号（第二リモコン信号）送信］
次に、通信端末３０において、リモコン信号を放送受信装置１０に送信する（ステップＳ２２１）。なお、ここで送信したリモコン信号は、放送受信装置１０の放送番組を変更する信号（第二リモコン信号）である。
【００９５】
上記第二リモコン信号が放送受信装置に送信されると、電源がオンであったマイクロフォン４２の電源がオフになる（ステップＳ２２２）。
【００９６】
放送受信装置１０は、通信端末３０が送信した第二リモコン信号を受信し、放送番組を変更する（ステップＳ２２３，ステップＳ２２４）。
【００９７】
［他のＵＲＬ起動通知送信］
その後、放送受信装置１０において、ＵＲＬ起動通知スクリプトを受信し、実行する（ステップＳ２２５，ステップＳ２２６）。そして、放送受信装置１０は、他のＵＲＬ起動通知を通信端末３０に送信しようとする（ステップＳ２２７）が、通信端末３０は、当該ＵＲＬ起動通知を受信することができない。
【００９８】
通信端末３０は、リモコン信号の送信に基づき、マイクロフォン４２の電源を切り替えることができるため、常にマイクロフォン４２の電源をオンにしている場合と比較して、消費電力を削減することができる。また、不要な音声の入力を防止することができる。
【００９９】
（情報提供システム１００による送信処理の具体例）
以下に、情報提供システム１００による送信処理の具体例ついて図４を用いて説明する。図４は本発明の一実施形態に係る情報提供システム１００による送信処理の具体例を示す。
【０１００】
図４は、以下に説明する４つのＵＲＬ起動通知の送信パターンを模式的に示すものである。図４において、放送受信装置４０は、放送受信装置１０と同様の構成を有するものであり、通信端末５０は、通信端末３０と同様の構成を有するものである。
【０１０１】
また、図４では、放送受信装置から送信されたＵＲＬ起動通知を通信端末が受信した際に、通信端末が当該ＵＲＬ起動通知に基づくＵＲＬにアクセスする場合は「○」で示し、アクセスしない場合は「×」で示す。なお、放送受信装置１０は、通信端末５０とは対応付けられておらず、また、放送受信装置４０は、通信端末３０および通信端末５０のいずれとも対応付けられていないとする。
【０１０２】
（１）放送受信装置１０から通信端末３０にＵＲＬ起動通知が送信された場合、通信端末３０における通信部４１は当該ＵＲＬ起動通知を受信する。通信端末３０は、図２のステップＳ１０２からＳ１０５に示す手順により、放送受信装置１０と通信端末３０とは対応付けられている。このため、通信端末３０のアクセス部３１は当該ＵＲＬ起動通知に基づくＵＲＬにアクセスする。
【０１０３】
（２）放送受信装置４０から通信端末３０にＵＲＬ起動通知が送信された場合、通信端末３０における通信部４１は放送受信装置４０から送信されたＵＲＬ起動通知を受信する。しかし、通信端末３０は、放送受信装置４０とは対応付けられていない。このため、通信端末３０のアクセス部３１は当該ＵＲＬ起動通知に基づくＵＲＬにアクセスしない。
【０１０４】
（３）放送受信装置１０から通信端末５０にＵＲＬ起動通知が送信された場合、通信端末５０における通信部４１は放送受信装置１０から送信されたＵＲＬ起動通知を受信する。しかし、放送受信装置１０は、通信端末５０とは対応付けられていない。そのため、通信端末５０のアクセス部３１は当該ＵＲＬ起動通知に基づくＵＲＬにアクセスしない。
【０１０５】
（４）放送受信装置４０から通信端末５０にＵＲＬ起動通知が送信された場合、通信端末５０における通信部４１は放送受信装置４０から送信されたＵＲＬ起動通知を受信する。しかし、放送受信装置４０は、通信端末５０とは対応付けられていない。そのため、通信端末５０のアクセス部３１は当該ＵＲＬ起動通知に基づくＵＲＬにアクセスしない。
【０１０６】
このように、本実施形態の情報提供システム１００では、放送受信装置から不特定多数の通信端末向けにＵＲＬ起動通知が送信されたとしても、各通信端末は、事前にリンクされた放送受信装置からのＵＲＬ起動通知を受信した場合に限り、そのＵＲＬ起動通知に示されているＵＲＬへアクセスする。これにより、多数の通信端末が同一のＵＲＬへアクセスすることを防止することができる。但し、ユーザが所望するのであれば、各通信端末の設定により、多数の通信端末を同一のＵＲＬへアクセスさせることも可能である。
【０１０７】
（リモコン信号およびＵＲＬ起動通知の送受信）
以下に、情報提供システム１００によるリモコン信号およびＵＲＬ起動通知の送受信について図５を用いて説明する。図５は、本発明の一実施形態に係る情報提供システム１００によるリモコン信号およびＵＲＬ起動通知の送受信を示す。
【０１０８】
［リモコン信号の送受信］
図５中の（ａ）および（ｂ）は、情報提供システム１００によるリモコン信号の送受信を示す。図５中の（ａ）に示すように、通信端末３０は、ＩＲ（赤外線）の形態により、リモコン信号を放送受信装置１０に送信してもよい。また、図５中の（ｂ）に示すように、通信端末３０は、Ｗｉｆｉの形態により、リモコン信号を放送受信装置１０に送信してもよい。
【０１０９】
［ＵＲＬ起動通知の送受信］
また、図５中の（ｃ）から（ｅ）は、情報提供システム１００によるＵＲＬ起動通知の送受信を示す。図５（ｄ）に示すように、放送受信装置１０は、Ｗｉｆｉの形態により、ＵＲＬ起動通知を通信端末３０に送信してもよい。また、図５中の（ｅ）に示すように、放送受信装置１０は、ＩＲの形態により、ＵＲＬ起動通知を通信端末３０に送信してもよい。なお、図５中の（ｃ）に関しては、本実施形態の変形例として後に説明する。
【０１１０】
このように、情報提供システム１００において、リモコン信号およびＵＲＬ起動通知の送受信形態（送受信に使用する媒体）は、様々なものが適用可能であり、もちろん、上記以外の送受信形態も適用可能である。
【０１１１】
〔プログラム〕
通信端末３０の各機能は、集積回路（ＩＣチップ）上に形成された論理回路によってハードウェア的に実現してもよいし、ＣＰＵ（Central Processing Unit）を用いてソフトウェア的に実現してもよい。
【０１１２】
後者の場合、通信端末３０は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである通信端末３０の制御プログラムのプログラムコード（実行形式プログラム、中間コードプログラム、ソースプログラム）をコンピュータで読み取り可能に記録した記録媒体を、上記通信端末３０に供給し、そのコンピュータ（またはＣＰＵやＭＰＵ）が記録媒体に記録されているプログラムコードを読み出し実行することによっても、達成可能である。
【０１１３】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１１４】
また、通信端末３０を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１１５】
以下、本発明の一実施形態の変形例について説明する。なお、上記実施形態と同一の部材については同一の番号を付し、その説明を省略する。
【０１１６】
（マイクロフォン４２を備えた通信端末３０）
本実施形態に係る通信端末３０において、アドレス取得手段として通信部４１を備えているが、放送受信装置１０から出力され、アドレスが埋め込まれた音声を入力するマイクロフォン４２をアドレス取得手段として備えていてもよい。これにより、アドレスが放送受信装置１０から出力された音声に埋め込まれている場合であっても、アドレス取得手段は、マイクロフォン４２によって入力された音声からアドレスを取得することができる。なお、図５中の（ｃ）に、放送受信装置１０から出力され、アドレスが埋め込まれた音声を、マイクロフォン４２に入力することを示す。音声へのアドレス情報の埋め込みは一般に「電子透かし」と呼ばれ、既知の電子透かしに関する技術に基づき、音声にアドレス情報を埋め込んだり、埋め込んだアドレス情報を取り出すことができる。
【０１１７】
また、マイクロフォン４２は、信号送信部３５から第一リモコン信号が送信されると、電源が入るように設定してもよい。マイクロフォン４２の電源を入れることにより、放送受信装置１０から出力され、アドレスが埋め込まれた音声がマイクロフォン４２に入力される。したがって、通信端末３０は、アドレスを取得し、当該アドレスへアクセスすることができる。
【０１１８】
また、マイクロフォン４２は、信号送信部３５から第二リモコン信号が送信されると、電源が切れるように設定してもよい。これにより、マイクロフォン４２にアドレスが埋め込まれた音声を入力することができなくなる。したがって、通信端末３０はアドレスを取得できなくなる。
【０１１９】
（通信端末３０の識別情報について）
情報提供システム１００において、通信端末３０から放送受信装置１０に送信されるリモコン信号には、通信端末３０を識別する情報（ＩＤ・機種名など）が含まれていてもよく、また、アドレス送信部１３は当該情報を付加したアドレスを通信端末３０に送信してもよい。
【０１２０】
この場合、情報提供システム１００によれば、通信端末３０は、リモコン信号とともに通信端末３０を識別する情報を放送受信装置１０に送信することができ、また、放送受信装置１０は、受信した当該情報とともにアドレスを通信端末３０に送信することができる。よって、通信端末３０は、放送受信装置から送信されたアドレスに、通信端末３０を識別する情報が含まれるか否かを識別することができる。
【０１２１】
さらに、放送受信装置から送信されたアドレスに通信端末３０を識別する情報が含まれるか否かに基づき、アクセス部３１は、放送受信装置から送信されたアドレスにアクセスするか否かを決定してもよい。例えば、放送受信装置から送信されたアドレスに、通信端末３０を識別する情報が含まれる場合には、アクセス部３１は、当該放送受信装置から送信されたアドレスにアクセスし、通信端末３０を識別する情報が含まれない場合には、アクセス部３１は、当該放送受信装置から送信されたアドレスにアクセスしないように、アクセス部３１を設定してもよい。これにより、アクセス部３１は放送受信装置１０から送信されたアドレスにアクセスするが、それ以外の放送受信装置から送信されたアドレスにアクセスしない。したがって、放送受信装置１０と通信端末３０とを対応付けることができる。
【０１２２】
（ポータルサーバからのＵＲＬ起動通知の受信）
また、通信端末３０は、特定のＵＲＬ起動通知を保存しているポータルサーバに当該ＵＲＬ起動通知を要求し、当該要求に応じてポータルサーバから送信されたＵＲＬ起動通知を受信する構成であってもよい。ここで、ポータルサーバとは、通信端末３０からのＵＲＬ起動通知の要求を受信し、当該要求に応じて、放送局からのＵＲＬ設定に基づき、保存していたＵＲＬ起動通知を通信端末３０に提供するものである。これにより、通信端末３０は、放送受信装置以外からもＵＲＬ起動通知を受信することができる。
【符号の説明】
【０１２３】
１０、４０  放送受信装置
１１        チューナ（番組放送受信手段）
１２        抽出部
１３        アドレス送信部（アドレス出力手段）
１４        通信部（信号受信手段）
１５        情報送信部
１６        情報保存部
１７        映像処理部
１８        表示部
３０、５０  通信端末
３１        アクセス部（アクセス手段）
３２        設定部
３３        情報保存部
３４        操作部
３５        信号送信部（リモコン信号送信手段）
３６        アプリ起動部
３７        アドレス記録部
３８        Ｗｅｂブラウザ
３９        表示部
４１        通信部（アドレス取得手段）
４２        マイクロフォン
１００      情報提供システム
【図１】
2014053747.tif 000003
【図２】
2014053747.tif 000004
【図３】
2014053747.tif 000005
【図４】
2014053747.tif 000006
【図５】
2014053747.tif 000007